(57)【特許請求の範囲】
【請求項１】
所定の記録単位毎にアドレス情報が記録された記録媒体にデータ情報を記録する情報記録装置であって、
前記アドレス情報は前記記録媒体内の複数個所で同じ値をとると共に、該各個所毎に異なるケタ上がりルールで表現されており、
前記記録媒体内の前記アドレス情報を読み取って再生するアドレス情報再生手段と、
該アドレス情報再生手段によって再生したアドレス情報を前記各個所毎に異なるケタ上がりルールに基づくケタ上がりで連番化する解釈を行うアドレス解釈手段と、
該アドレス解釈手段によって解釈したアドレス情報に基づいて前記記録媒体内のデータ情報の記録開始点を探索するデータ情報記録開始点探索手段とを備えたことを特徴とする情報記録装置。
【請求項２】
所定の記録単位毎にアドレス情報が記録された記録媒体からデータ情報を再生する情報再生装置であって、
前記アドレス情報は前記記録媒体内の複数個所で同じ値をとると共に、該各個所毎に異なるケタ上がりルールで表現されており、
前記記録媒体内の前記アドレス情報を読み取って再生するアドレス情報再生手段と、
該アドレス情報再生手段によって再生したアドレス情報を前記個所毎に異なるケタ上がりルールに基づくケタ上がりで連番化する解釈を行うアドレス解釈手段と、
該アドレス解釈手段によって解釈したアドレス情報に基づいて前記記録媒体内のデータ情報の再生開始点を探索するデータ情報再生開始点探索手段とを備えたことを特徴とする情報再生装置。
【請求項３】
所定の記録単位毎にアドレス情報が記録された記録媒体にデータ情報を記録する情報記録装置であって、
前記アドレス情報は前記記録媒体内の複数個所で同じ値をとると共に、該各個所毎に異なるケタ上がりルールで表現されており、
前記記録媒体内の前記アドレス情報を読み取って再生するアドレス情報再生手段と、
該アドレス情報再生手段によって再生したアドレス情報を前記各個所毎に異なるケタ上がりルールに基づくケタ上がりで連番化する解釈を行うアドレス解釈手段と、
該アドレス解釈手段によって解釈したアドレス情報に基づいて前記記録媒体内のデータ情報の記録の連続性を評価するデータ情報記録連続性評価手段とを備えたことを特徴とする情報記録装置。
【請求項４】
所定の記録単位毎にアドレス情報が記録された記録媒体にデータ情報を記録する情報記録装置であって、
前記アドレス情報は前記記録媒体内の複数個所で同じ値をとると共に、該各個所毎に異なるケタ上がりルールで表現されており、
前記各個所毎に異なるケタ上がりルールに基づいて前記記録媒体に記録するデータ情報内に埋め込む記録アドレスを生成する記録アドレス生成手段と、
該記録アドレス生成手段によって生成された記録アドレスを前記記録媒体に記録するデータ情報内に埋め込む記録アドレス埋め込み手段とを備えたことを特徴とする情報記録装置。
【請求項５】
請求項１，３，４のいずれか一項に記載の情報記録装置において、
前記記録媒体内の任意の位置に移動可能なデータ情報記録用ヘッドと、該データ情報記録用ヘッドの位置を推定するデータ情報記録用ヘッド位置推定手段と、該データ情報記録用ヘッド位置推定手段によって推定したヘッド位置に基づいて前記各箇所毎に異なるケタ上がりルールを選択的に切り替えるルール選択手段とを設けたことを特徴とする情報記録装置。
【請求項６】
請求項２記載の情報再生装置において、
前記記録媒体内の任意の位置に移動可能なデータ情報読取用ヘッドと、該データ情報読取用ヘッドの位置を推定するデータ情報読取用ヘッド位置推定手段と、該データ情報読取用ヘッド位置推定手段によって推定したヘッド位置に基づいて前記各箇所毎に異なるケタ上がりルールを選択的に切り替えるルール選択手段とを設けたことを特徴とする情報再生装置。
【発明の詳細な説明】
【０００１】
【発明の属する技術分野】
この発明は、ＣＤ−Ｒ／ＲＷドライブ等の所定の記録単位毎にアドレス情報が記録された記録媒体にデータ情報を記録する情報記録装置及び上記記録媒体に記録されたデータ情報を再生する情報再生装置に関する。
【０００２】
【従来の技術】
従来のコンパクトディスク（ＣＤ）と互換性を保ちつつデータ情報の高容量化を図る試みがなされてきており、ＣＤ−ＲやＣＤ−ＲＷ等の記録型ＣＤでも同様の試みがされている。このような記録媒体の高容量化にはピット密度とトラックピッチを詰めればよい。
しかし、従来のＣＤではアドレス情報の表現がＢＣＤなので９９分までしか表現することができず、それが高密度化のネックになっていた。そこで、アドレス情報の表現を従来と全く変えてしまえばより大きい値を簡単に表現できるようになるが、それではＣＤとの互換性が保てなくなる。
従来、上記のような問題を解決するため、従来は使っていない（“０”にしている）最上位ビット（ｂｉｔ）に意味を持たせ、その組み合わせによってより上位のケタを表現した記録媒体にデータ情報を記録する情報記録装置と上記記録媒体からデータ情報を再生する情報再生装置（例えば、特開２０００−２６８５４６号公報参照）が提案されている。
【０００３】
【発明が解決しようとする課題】
しかしながら、上述した従来の情報記録装置と情報再生装置では、例えばＣＤ−Ｒでは同じアドレス表現が２個所に存在することを考慮していなかったために以下のような問題があった。
例えば、音楽ＣＤでは半径２５ｍｍ位置が時間表現アドレスの０分０秒０フレーム（「０ｍ０ｓ０ｆ」と表記する。以下同様）で、そこから外周に向かってスパイラルを描くデータトラックに沿ってアドレスが増加し、０ｍ０ｓ０ｆよりも内側の値は不定である。
一方、ＣＤ−Ｒでは０ｍ０ｓ０ｆよりもひとつ手前のアドレスは９９ｍ５９ｓ７４ｆであり、さらに手前はそれより１フレームずつ減少して、トラックの開始点は半径２２．５ｍｍ付近であり、そこのアドレスはだいたい９６ｍ３０ｓ０ｆくらいになっている。いいかえると、アドレスはその値から外周へ向かって単調に増加し、９９ｍ５９ｓ７４ｆの次が０ｍ０ｓ０ｆにケタ上がり（いわば「リセット」）してさらに増加を続ける。
【０００４】
従来の情報記録装置と情報再生装置では、高密度光ディスクに対するデータ情報の記録又は再生のとき、外周側で９９ｍ５９ｓ７４ｆに達した次のアドレスが１００ｍ０ｓ０ｆになってさらに増加する。一方、内周（０分付近）では９９ｍ５９ｓ７４ｓの次は０ｍ０ｓ０ｆでなければならないのに１００ｍ０ｓ０ｆと認識してしまう。
したがって、内周側と外周側の両方で９７分から９９分台のアドレスが存在し、そのケタ上がりルールが異なるので、アドレス表現が矛盾して、なにがしかのエラーが生じ、特に内周９９分と０分をまたぐような記録または再生に失敗してしまうという問題があった。
【０００５】
この発明は上記の課題を解決するためになされたものであり、記録媒体上の複数位置（例えば内周と外周の２個所）に同じアドレスが出現し、かつそのケタ上がりルールが異なっている場合であっても、正常にデータ情報の記録再生を行えるようにして、従来の記録媒体と高い互換性を持った高密度な記録媒体を扱えるようにすることを目的とする。
【０００６】
【課題を解決するための手段】
この発明は上記の目的を達成するため、所定の記録単位毎にアドレス情報が記録された記録媒体にデータ情報を記録する情報記録装置であって、上記アドレス情報は上記記録媒体内の複数個所で同じ値をとると共に、その各個所毎に異なるケタ上がりルールで表現されており、上記記録媒体内の上記アドレス情報を読み取って再生するアドレス情報再生手段と、そのアドレス情報再生手段によって再生したアドレス情報を上記各個所毎に異なるケタ上がりルールに基づくケタ上がりで連番化する解釈を行うアドレス解釈手段と、そのアドレス解釈手段によって解釈したアドレス情報に基づいて上記記録媒体内のデータ情報の記録開始点を探索するデータ情報記録開始点探索手段を備えたものを提供する。
【０００７】
また、所定の記録単位毎にアドレス情報が記録された記録媒体からデータ情報を再生する情報再生装置であって、上記アドレス情報は上記記録媒体内の複数個所で同じ値をとると共に、その各個所毎に異なるケタ上がりルールで表現されており、上記記録媒体内の上記アドレス情報を読み取って再生するアドレス情報再生手段と、そのアドレス情報再生手段によって再生したアドレス情報を上記個所毎に異なるケタ上がりルールに基づくケタ上がりで連番化する解釈を行うアドレス解釈手段と、そのアドレス解釈手段によって解釈したアドレス情報に基づいて上記記録媒体内のデータ情報の再生開始点を探索するデータ情報再生開始点探索手段を備えたものも提供する。
【０００８】
さらに、所定の記録単位毎にアドレス情報が記録された記録媒体にデータ情報を記録する情報記録装置であって、上記アドレス情報は上記記録媒体内の複数個所で同じ値をとると共に、その各個所毎に異なるケタ上がりルールで表現されており、上記記録媒体内の上記アドレス情報を読み取って再生するアドレス情報再生手段と、そのアドレス情報再生手段によって再生したアドレス情報を上記各個所毎に異なるケタ上がりルールに基づくケタ上がりで連番化する解釈を行うアドレス解釈手段と、そのアドレス解釈手段によって解釈したアドレス情報に基づいて上記記録媒体内のデータ情報の記録の連続性を評価するデータ情報記録連続性評価手段を備えたものを提供する。
【０００９】
さらにまた、所定の記録単位毎にアドレス情報が記録された記録媒体にデータ情報を記録する情報記録装置であって、上記アドレス情報は上記記録媒体内の複数個所で同じ値をとると共に、その各個所毎に異なるケタ上がりルールで表現されており、上記各個所毎に異なるケタ上がりルールに基づいて上記記録媒体に記録するデータ情報内に埋め込む記録アドレスを生成する記録アドレス生成手段と、その記録アドレス生成手段によって生成された記録アドレスを上記記録媒体に記録するデータ情報内に埋め込む記録アドレス埋め込み手段を備えたものも提供する。
【００１０】
また、上記のような情報記録装置において、上記記録媒体内の任意の位置に移動可能なデータ情報記録用ヘッドと、そのデータ情報記録用ヘッドの位置を推定するデータ情報記録用ヘッド位置推定手段と、そのデータ情報記録用ヘッド位置推定手段によって推定したヘッド位置に基づいて上記各箇所毎に異なるケタ上がりルールを選択的に切り替えるルール選択手段を設けるとよい。
【００１１】
さらに、上記のような情報再生装置において、上記記録媒体内の任意の位置に移動可能なデータ情報読取用ヘッドと、そのデータ情報読取用ヘッドの位置を推定するデータ情報読取用ヘッド位置推定手段と、そのデータ情報読取用ヘッド位置推定手段によって推定したヘッド位置に基づいて上記各箇所毎に異なるケタ上がりルールを選択的に切り替えるルール選択手段を設けるとよい。
【００１２】
【発明の実施の形態】
以下、この発明の実施形態を図面に基づいて具体的に説明する。
（この発明の請求項２と６の一実施形態である情報再生装置）
図１は、この発明の請求項２と６の一実施形態である情報再生装置の構成を示すブロック図である。
【００１３】
この情報再生装置は、所定の記録単位毎にアドレス情報が記録されたＣＤ−ＲＯＭ，ＣＤ−Ｒ，ＣＤ−ＲＷ等の光ディスク（記録媒体）からデータ情報を再生するＣＤ−ＲＯＭドライブ，ＣＤ−Ｒドライブ，ＣＤ−ＲＷドライブ等の光ディスク再生装置であり、ＣＤ−ＲＯＭ，ＣＤ−Ｒ，ＣＤ−ＲＷ等の光ディスク１０２を回転する回転モータ１００と、光ディスク１０２に記録されたデータ情報（アドレス情報も含む）を読み取ったときの情報信号を検出するヘッド１０３とを備えている。光ディスク１０２には一般にスパイラル上に情報トラックが存在し、ヘッド１０３はその情報トラックを検索あるいはトレースするようになっている。すなわち、ヘッド１０３は上記記録媒体内の任意の位置に移動可能なデータ情報読取用ヘッドに相当する。
【００１４】
情報信号は一般には高周波信号であり、ＲＦ検出部１０４によって電気信号に変換される。そのＲＦはＲａｄｉｏ  Ｆｒｅｑｕｅｎｃｙの略であり、この種の高周波情報信号の略称として一般的に使われる。
この情報信号には、記録データ情報と、そのデータが光ディスク１０２のどこに記録されているかを示すアドレス情報が含まれている。データ情報はゲート部１０７を経てパーソナルコンピュータ等の上位装置１１０へ送られる。
【００１５】
アドレス検出部１０５は、ＲＦ検出部１０４によって電気信号に変換された情報信号からアドレス情報を検出する。すなわち、ヘッド１０３，ＲＦ検出部１０４，アドレス検出部１０５が上記記録媒体内の前記アドレス情報を読み取って再生するアドレス情報再生手段の機能を果たす。そのアドレス情報は一般には所定のデータ単位（例えば２ＫＢｙｔｅ）毎に埋め込まれている。これをセクタという。セクタアドレスは、例えばＣＤ−ＲＯＭでは「分，秒，フレーム」（ｍｉｎｕｔｅ，ｓｅｃｏｎｄ，ｆｒａｍｅ：ｍｓｆ）という単位で表現される。１秒は７５フレームであり、通常は最大８０分（８０＊６０＊７５＝３６００００セクタ）程度の容量がある。
【００１６】
アドレス解釈部１０６は、ｍｓｆ表現されたアドレス情報を連番に直して、現在アドレス（現在位置）Ｃｕｒｒｅｎｔ＿Ｎとして出力する。すなわち、このアドレス解釈部１０６が上記アドレス情報再生手段によって再生したアドレス情報を上記個所毎に異なるケタ上がりルールに基づくケタ上がりで連番化する解釈を行うアドレス解釈手段に相当する。
【００１７】
ここで、この情報再生装置が使用する光ディスク１０２のフォーマットについて説明する。
光ディスク１０２上の情報トラックは内周から外周に向かうスパイラル状であり、ここではアドレス情報はＣＤと同じにｍｓｆ表現を用いており、光ディスク内の複数個所で同じ値をとると共に、その各個所毎に異なるケタ上がりルールで表現されている。
図２は、光ディスク１０２のアドレス情報のアドレス表現の説明に供する一覧表の図である。
図３は、ケタ上がりルールの説明に供する一覧表の図である。
【００１８】
図２に示すように、ｍｓｆ表現では「分，秒，フレーム」にそれぞれ１Ｂｙｔｅずつ使い、内周側ではそれぞれＢＣＤ（Ｂｉｎａｒｙ  Ｃｏｄｅｄ  Ｄｅｃｉｍａｌ）表現されている。記録面の半径２５ｍｍ付近が規準アドレス０ｍ０ｓ０ｆであり、その基準アドレスから外周に向かって１フレーム（ｆｒａｍｅ）ずつ増加する。
２５ｍｍよりも内周に向かっては９９ｍ５９ｓ７４ｆから１ｆｒａｍｅずつ減少する。すなわち、９９ｍのケタ上がりは９９−−＞００である。これは通常のＢＣＤルールと同じになる。
アドレス解釈部１０６は、その場合９９ｍ５９ｓ７４ｆを負の数「−１」として解釈する。そこから内側に向かっては減少するのだから「−２」「−３」とすれば自然に扱うことができる。
【００１９】
アドレス情報が外周に向かって進むとやがて９９ｍ５９ｓ７４ｆに達する。そのアドレス表現は、２５ｍｍよりも内周にも存在するが、ここでは当然ＢＣＤ表現したｍｓｆアドレス最大の「正の数」として解釈されなければならない。
次のアドレス情報は値としては１００ｍ０ｓ０ｆであるが、これでは「ｍｉｎｕｔｅ」が３ケタなので１ｂｙｔｅのＢＣＤ表現にできない。そこで上位ケタを１６進表現にして「Ａ０」分と表現する。すなわち、ここでの９９ｍのケタ上がりは９９−−＞Ａ０である。上位ケタは１６進表現であり、下位ケタはＢＣＤ表現である。これなら最大Ｆ９ｍ５９ｓ７４ｆ（＝１５９ｍ５９ｓ７４ｆ）まで表現することができる（図３を参照）。
【００２０】
次に、アドレス解釈部１０６の詳細な動作を説明する。
図４は、アドレス解釈部１０６の動作処理を示すフローチャート図である。
ステップ（図中「Ｓ」で示す）１でｍｉｎｕｔｅ（分）が９０分よりも大きいか否かを判断し、９０分以下ならはステップ４へ進んで通常の連番化する数式Ｎ＝（ｍｉｎｕｔｅ＊６０＋ｓｅｃｏｎｄ）＊７５＋ｆｒａｍｅに基づく演算処理を実行してこの処理を終了する。内周側は９９分，９８分，・・・と減少していくが、最内周でも９５分まではいかないからである。したがって、９０分以下の値であれば、負数でない（外周側）として通常計算する。
ステップ１でｍｉｎｕｔｅ（分）が９０分よりも大きいなら、ステップ２へ進んでヘッド１０３の現在位置Ｃｕｒｒｅｎｔ＿ｐｏｓが半径３５ｍｍ位置よりも外周か否かを判断する。その現在位置Ｃｕｒｒｅｎｔ＿ｐｏｓは、ヘッド位置制御部１０９から得ることができる。
【００２１】
ヘッド位置制御部１０９は、例えばヘッド１０３を光ディスク半径方向に移動させる送りモータ機構や位置エンコーダやそれをカウントするカウンタなどからなる。それらは公知なので図示及びその説明を省略する。
これによりヘッド１０３の位置するおよその半径方向位置を常に知ることができる。ただし、一般には情報トラックピッチ（１．５ｕｍ程度）ほどは高い精度では得られない。せいぜい１００ｕｍ程度の分解能である。また、絶対位置としても多少の誤差（１ｍｍ程度）はあるのであくまで推定位置である。しかしその程度でも、アドレス情報のケタ上がりルール切り替え半径位置よりも内周か外周かなどを判断するには十分な精度である。上記アドレス解釈部１０６，ヘッド位置制御部１０９が上記データ情報読取用ヘッドの位置を推定するデータ情報読取用ヘッド位置推定手段の機能を果たす。
【００２２】
ステップ２の判断で上述のようにして得られた現在位置Ｃｕｒｒｅｎｔ＿ｐｏｓが半径３５ｍｍ位置よりも外周の場合、つまり図２に示したフォーマットの光ディスク例にあるように半径３５ｍｍよりも外周ならば、やはりステップ４の通常の連番計算を実行してこの処理を終了する。
ステップ２で現在位置Ｃｕｒｒｅｎｔ＿ｐｏｓが半径３５ｍｍ以内と判断したら、９０分よりも大きなｍｉｎｕｔｅ（分）は「負数」であるので、ステップ３へ進んでｍｉｎｕｔｅ（分）から１００を引く処理を行う。つまり９９分は「−１」分、９８分は「−２」分と解釈する。そうしておいて、ステップ４の連番化を実行して、この処理を終了する。
すなわち、アドレス解釈部１０６は上記データ情報読取用ヘッド位置推定手段によって推定したヘッド位置に基づいてアドレス解釈部１０６自身の上記各箇所毎に異なるケタ上がりルールを選択的に切り替えるルール選択手段の機能も果たす。
【００２３】
このようにして、現在アドレスＣｕｒｒｅｎｔ＿Ｎとして図２に示した「ａｄｄｒｅｓｓ（Ｎ）」にあるような連番アドレスを計算する。
比較部１０８は、上位装置１１０から指定される目標アドレスと現在アドレスＣｕｒｒｅｎｔ＿Ｎを比較し、その比較結果に応じてヘッド位置制御部１０９に対して探索（ｓｅｅｋ）指令を出してヘッド１０３を目標アドレス手前に位置付け、目標アドレスに達したら開始（ｓｔａｒｔ）指令をゲート部１０７に出す。
ゲート部１０７は、ｓｔａｒｔ指令に応じてゲートを開き、光ディスク１０２から再生したデータ情報を上位装置１１０へ送出する。すなわち、比較部１０８，ゲート部１０７が上記アドレス解釈手段によって解釈したアドレス情報に基づいて記録媒体内のデータ情報の再生開始点を探索するデータ情報再生開始点探索手段の機能を果たす。
【００２４】
次に、比較部１０８の詳細な動作について説明する。
図５は、比較部１０８の動作処理を示すフローチャート図である。
ステップ１１で現在アドレス（通番表現）Ｃｕｒｒｅｎｔ＿Ｎを取得（Ｇｅｔ）する。
ステップ１２で目標アドレスＴａｒｇｅｔ＿Ｎ（通番表現）と現在アドレスＣｕｒｒｅｎｔ＿Ｎの差ｄｉｆｆをとる。
ステップ１３で目標アドレスと現在アドレスの差ｄｉｆｆ＝０か否かを判断し、０なら、目標アドレスにちょうど達しているので、ステップ１４へ進んで開始（ｓｔａｒｔ）指令（ここでは読み出し：ｒｅａｄ）を出す。差ｄｉｆｆ＝０でなければステップ１５へ進む。
【００２５】
ステップ１５では差ｄｉｆｆが０よりも大きくて１０未満か否かを判断し、０よりも大きくて１０未満なら、ヘッド１０３は目標アドレスよりも手前１０セクタ以内に位置しているから、ステップ１６へ進んで何もせず目標アドレスの到来を待つ（ＮＯＰ：Ｎｏ  Ｏｐｅｒａｔｉｏｎ）。それをｌａｔｅｎｃｙ（回転待ち）という。その後、ステップ１１へ戻る。
ステップ１５で差ｄｉｆｆが０よりも大きくて１０未満以外のときは、ヘッド１０３を動かし直す必要があるので、ステップ１７へ進んで探索（ｓｅｅｋ）指令を与える。ｓｅｅｋ指令は、一般には差ｄｉｆｆに応じた距離だけヘッド１０３を相対移動させるような指令になる。その後、ステップ１１へ戻る。
比較部１０８のその他の動作はよく知られているので詳しい説明を省略する。
【００２６】
アドレス解釈部１０６によって、アドレスがすべて内周から一連の通番に直されているので、目標アドレスとの比較は特にｍｓｆのケタ上がりを意識せずに行うことができる。
このようにして、光ディスク上の複数位置（例えば内周と外周の２個所）に同じアドレスが出現し、かつそのケタ上がりルールが異なっているような光ディスクの場合であっても、正常に再生開始点を見つけることができ、正常な再生ができる。これによって、従来光ディスクと高い互換性を持った高密度光ディスクを扱うことが可能になる。
また、ケタ上がり切り替えを容易に行え、低コストでより正確に探索ができ、信頼性を高くすることができる。
【００２７】
（この発明の請求項１と５の一実施形態である情報記録装置）
図６は、この発明の請求項１と５の一実施形態である情報記録装置の構成を示すブロック図である。
この情報記録装置は、所定の記録単位毎にアドレス情報が記録されたＣＤ−Ｒ，ＣＤ−ＲＷ等の光ディスク（記録媒体）にデータ情報を記録するＣＤ−Ｒドライブ，ＣＤ−ＲＷドライブ等の光ディスク記録装置であり、回転モータ２００はＣＤ−Ｒ，ＣＤ−ＲＷ等の情報記録用光ディスク２０２を回転する。
【００２８】
情報記録用光ディスク２０２は、例えばＣＤ−Ｒディスクには、従来例に示すように、記録トラックとして溝（Ｇｒｏｏｖｅ）がスパイラル状に刻まれている。その溝は半径方向に微少な量だけ周期的に蛇行（Ｗｏｂｂｌｅ）しており、さらにその蛇行に周波数変調としてアドレス情報が埋め込まれている。それをＡＴＩＰ（Ａｂｓｏｌｕｔｅ  Ｔｉｍｅ  Ｉｎ  Ｐｒｅ−ｇｒｏｏｖｅ）という。
ＡＴＩＰアドレス情報の表現も、図２に示したようにｍｓｆ表現されており、記録媒体内の複数箇所で同じ値をとると共に、その各箇所毎に異なるケタ上がりルールで表現されている。つまり、再生ディスクのときと同様に、「分」は内周０ｍ０ｓ０ｆより内側へは９９分から減少し、外周９９分の次は「Ａ０」分になる。
【００２９】
ヘッド２０３は、記録用レーザ（ＬＤ：Ｌａｓｅｒ  Ｄｉｏｄｅ）を搭載しており、ＬＤドライバ２０５によって記録パワーで変調されて記録データを情報記録用光ディスク２０２に書き込むことができる。また、ヘッド位置制御部２１０によって半径方向に移動可能になっており、目的の書き込み位置まで移動して書き込みを開始させることになる。すなわち、上記記録媒体内の任意の位置に移動可能なデータ情報記録用ヘッドに相当する。
ヘッド２０３からは溝の蛇行信号も検出される。これはＡＴＩＰ検出部２０４によって電気信号に変換されてＡＴＩＰ信号となる。
また、ヘッド２０３，ＡＴＩＰ検出部２０４，アドレス検出部２０６が上記記録媒体内の前記アドレス情報を読み取って再生するアドレス情報再生手段の機能を果たす。
【００３０】
アドレス検出部２０６はＡＴＩＰ信号からアドレス情報を検出してｍｓｆ表現のアドレス情報を出力する。
アドレス解釈部２０７は、図１に示したアドレス解釈部１０６と略機能が同じであり、ｍｓｆアドレス情報を図２に示したように所定のケタ上がりルールに応じた連番に変換する。すなわち、上記アドレス情報再生手段によって再生したアドレス情報を上記各箇所毎に異なるケタ上がりルールに基づくケタ上がりで連番化する解釈を行うアドレス解釈手段の機能を果たす。また、ヘッド位置制御部２１０と共に上記データ情報記録用ヘッドの位置を推定するデータ情報記録用ヘッド位置推定手段の機能も果たす。さらに、また、上記データ情報読取用ヘッド位置推定手段によって推定したヘッド位置に基づいてアドレス解釈部２０７自身の各箇所毎に異なるケタ上がりルールを選択的に切り替えるルール選択手段の機能も果たす。
【００３１】
比較部２０９も、図１に示した比較部１０８と略その機能が同じであり、目標アドレスｔａｒｇｅｔ＿Ｎまでヘッド２０３を探索し、そこでｓｔａｒｔ指令を出力する。すなわち、上記アドレス解釈手段によって解釈したアドレス情報に基づいて記録媒体内のデータ情報の記録開始点を探索するデータ情報記録開始点探索手段の機能を果たす。
ゲート部２０８は、ｓｔａｒｔ指令に応じてゲートを開き、書き込みデータＷｄａｔａＬＤドライバ２０５へ送る。ＬＤドライバ２０５は書き込みデータを受けて、ヘッド２０３に搭載された記録レーザを変調する。これで、記録データの書き込みが開始される。
【００３２】
このようにして、光ディスク上の複数位置（例えば内周と外周の２個所）に同じアドレスが出現し、かつそのケタ上がりルールが異なっているような光ディスクの場合であっても、正常に記録開始点を見つけることができ、正常な記録ができる。これによって、従来光ディスクと高い互換性を持った高密度光ディスクを扱うことが可能になる。
また、ケタ上がり切り替えを容易に行え、低コストでより正確に探索ができ、信頼性を高くすることができる。
【００３３】
（この発明の請求項３と５の一実施形態である情報再生装置）
図７は、この発明の請求項３と５の一実施形態である情報再生装置の構成を示すブロック図である。
この情報記録装置は、図６に示した情報記録装置の回転モータ２００，ヘッド２０３，ＡＴＩＰ検出部２０４，ＬＤドライバ２０５，アドレス検出部２０６，アドレス解釈部２０７，ゲート部２０８，ヘッド位置制御部２１０とそれぞれ同じ機能の回転モータ３００，ヘッド３０３，ＡＴＩＰ検出部３０４，ＬＤドライバ３０５，アドレス検出部３０６，アドレス解釈部３０７，ゲート部３０８，ヘッド位置制御部３１０を備えており、所定の記録単位毎にアドレス情報が記録された記録媒体にデータ情報を記録するＣＤ−Ｒドライブ，ＣＤ−ＲＷドライブ等の光ディスク記録装置である。
【００３４】
その光ディスク３０２には、アドレス情報が記録媒体内の複数個所で同じ値をとると共に、その各個所毎に異なるケタ上がりルールで表現されている。
また、ヘッド３０３は記録媒体内の任意の位置に移動可能なデータ情報記録用ヘッドに相当し、ヘッド３０３，ＡＴＩＰ検出部３０４，アドレス検出部３０６が上記記録媒体内の前記アドレス情報を読み取って再生するアドレス情報再生手段の機能を果たす。
さらに、アドレス解釈部３０７，ヘッド位置制御部３１０はデータ情報記録用ヘッドの位置を推定するデータ情報記録用ヘッド位置推定手段の機能を果たし、アドレス解釈部３０７がアドレス情報再生手段によって再生したアドレス情報を上記各個所毎に異なるケタ上がりルールに基づくケタ上がりで連番化する解釈を行うアドレス解釈手段と、データ情報記録用ヘッド位置推定手段によって推定したヘッド位置に基づいてアドレス解釈部３０７自身の各箇所毎に異なるケタ上がりルールを選択的に切り替えるルール選択手段の機能を果たす。
【００３５】
連続性判定部３１１は、データ記録中のＡＴＩＰアドレス情報の連続性を評価し、連続性がなくなったらエラー（Ｅｒｒｏｒ）指令をゲート部３０８に出して、記録を停止させる。すなわち、上記アドレス解釈手段によって解釈したアドレス情報に基づいて記録媒体内のデータ情報の記録の連続性を評価するデータ情報記録連続性評価手段の機能を果たす。
この連続性判定は、アドレス解釈部３０７が図２に示した所定のルールに基づいてアドレス情報を連番化しているために、特別な考慮をしなくても判定可能である。
したがって、内周において９９ｍ５９ｓ７４ｆ−−＞００ｍ００ｓ００ｆは連続であると判断できるし、外周において９９ｍ５９ｓ７４ｆ−−＞Ａ０ｍ００ｓ００ｆは連続と判断できる。
【００３６】
図８は、連続性判定部３１１の動作処理を示すフローチャート図である。
ステップ２１で現在アドレス取得。ステップ２２でひとつ前のアドレスＰｒｅｖ＿Ｎと比較し、差が１でなければエラー、１なら正常。ステップ２３でひとつ前のアドレスを現在アドレスに置き換えて、次のアドレス取得へ。という動作になる。上記のような連続性判定により、データ情報の書き込み中のサーボ外れ事故などによる書き込みミスを検出できるので、信頼性の高い書き込みが行える。
なお、上記連続性判定部を上述の情報再生装置に設ければ、上述と同様にしてアドレス解釈手段によって解釈したアドレス情報に基づいて記録媒体内のデータ情報の再生の連続性を評価することができる。
【００３７】
このようにして、光ディスク上の複数位置（例えば内周と外周の２個所）に同じアドレスが出現し、かつそのケタ上がりルールが異なっているような光ディスクの場合であっても、正常に記録または再生アドレスの連続性を判定でき、信頼性の高い記録再生を行うことができる。これによって、従来光ディスクと高い互換性を持った高密度光ディスクを扱うことが可能になる。
また、ケタ上がり切り替えを容易に行え、低コストでより正確にデータ情報の記録又は再生の連続性判定ができ、データの記録再生の信頼性を高めることができる。
【００３８】
（この発明の請求項４と５の一実施形態である情報再生装置）
図９は、この発明の請求項４と５の一実施形態である情報再生装置の構成を示すブロック図である。
この情報記録装置は、図６に示した情報記録装置の回転モータ２００，ヘッド２０３，ＬＤドライバ２０５，ヘッド位置制御部２１０とそれぞれ同じ機能の回転モータ４００，ヘッド４０３，ＬＤドライバ４０４，ヘッド位置制御部４０９を備えており、所定の記録単位毎にアドレス情報が記録された記録媒体にデータ情報を記録するＣＤ−Ｒドライブ，ＣＤ−ＲＷドライブ等の光ディスク記録装置である。光ディスク４０２にはアドレス情報が記録媒体内の複数個所で同じ値をとると共に、その各個所毎に異なるケタ上がりルールで表現されている。
【００３９】
ヘッド４０３からは光ディスク溝の蛇行検出信号が出力される。
同期部４０６は、このＡＴＩＰセクタ毎に同期検出を行い、ＡＴＩＰセクタに同期したタイミングでカウンタ４０７を増加させる。したがって、カウンタ４０７は、光ディスク４０２のＡＴＩＰアドレスの増加に同期して増加する。このカウンタ４０７は、書き込み開始時に開始セクタアドレスに等しい値（の連番表現）に初期化される。
アドレス生成部４０８は、カウンタ４０７の連番アドレスを受けてｍｓｆ表現に変換する。その変換ルールは図２に示したＮからｍｓｆへの変換になる。そのとき、ケタ上がり切り替え部４１０の切り替え指示にしたがって、内周側での９９分から００分へのケタ上がりと、外周側での９９分からＡ０分へのケタ上がりが切り替えられる。
【００４０】
ケタ上がり切り替え部４１０は、ヘッド位置制御部４０９からの半径位置情報Ｃｕｒｒｅｎｔ＿ｐｏｓに応じて、ケタ上がり切り替え指示を出力する。例えば、半径３５ｍｍ以内ならケタ上がりは９９−−＞００であるという指示を出し、３５ｍｍより外周ならケタ上がりは９９−−＞Ａ０であるという指示を出す。
アドレス生成部４０８の出力したｍｓｆアドレスは、アドレス挿入部４０５によって記録データＷｄａｔａに埋め込まれて最終的な記録データ系列になり、ＬＤドライバ４０４へ送られる。
ＬＤドライバ４０４は、記録データ系列に応じてヘッド４０３に搭載された記録レーザを変調して、光ディスク４０２へ書き込みを行う。
【００４１】
すなわち、上記アドレス生成部４０８が各個所毎に異なるケタ上がりルールに基づいて記録媒体に記録するデータ情報内に埋め込む記録アドレスを生成する記録アドレス生成手段の機能に、上記アドレス挿入部４０５が記録アドレス生成手段によって生成された記録アドレスを記録媒体に記録するデータ情報内に埋め込む記録アドレス埋め込み手段の機能にそれぞれ相当する。
また、上記ヘッド４０３が記録媒体内の任意の位置に移動可能なデータ情報記録用ヘッドに相当する。さらに、上記ヘッド位置制御部４０９，ケタ上がり切り替え部４１０がデータ情報記録用ヘッドの位置を推定するデータ情報記録用ヘッド位置推定手段の機能を果たし、上記ケタ上がり切り替え部４１０がデータ情報記録用ヘッド位置推定手段によって推定したヘッド位置に基づいて記録アドレス生成手段の各箇所毎に異なるケタ上がりルールを選択的に切り替えるルール選択手段の機能を果たす。
【００４２】
このようにして、光ディスク上の複数位置（例えば内周と外周の２個所）に同じアドレスが出現し、かつそのケタ上がりルールが異なっているような光ディスクの場合であっても、正常に記録アドレスを生成して記録することができる。これによって、従来光ディスクと高い互換性を持った高密度光ディスクを扱うことが可能になる。
また、ケタ上がり切り替えを容易に行うことができ、低コストでより正確に記録アドレス生成ができ、データ記録の信頼性を高めることができる。
【００４３】
【発明の効果】
以上説明してきたように、この発明の情報記録装置と情報再生装置によれば、記録媒体上の複数位置に同じアドレスが出現し、そのケタ上がりルールが異なっている場合でも、従来の記録媒体と高い互換性を持った高密度な記録媒体を扱えるように、正常にデータ情報の記録再生を行えるようにすることができる。
【図面の簡単な説明】
【図１】この発明の請求項２と６の一実施形態である情報再生装置の構成を示すブロック図である。
【図２】この発明の各実施形態における光ディスクのアドレス情報のアドレス表現の説明に供する一覧表の図である。
【図３】この発明の各実施形態におけるケタ上がりルールの説明に供する一覧表の図である。
【図４】図１に示したアドレス解釈部１０６の動作処理を示すフローチャート図である。
【図５】図１に示した比較部１０８の動作処理を示すフローチャート図である。
【図６】この発明の請求項１と５の一実施形態である情報記録装置の構成を示すブロック図である。
【図７】この発明の請求項３と５の一実施形態である情報再生装置の構成を示すブロック図である。
【図８】図７に示した連続性判定部３１１の動作処理を示すフローチャート図である。
【図９】この発明の請求項４と５の一実施形態である情報再生装置の構成を示すブロック図である。
【符号の説明】
１００，２００，３００，４００：回転モータ
１０２，２０２，３０２，４０２：光ディスク
１０３，２０３，３０３，４０３：ヘッド
１０４：ＲＦ検出部
１０５，２０６，３０６：アドレス検出部
１０６，２０７，３０７：アドレス解釈部
１０７，２０８，３０８：ゲート部
１０８，２０９：比較部
１０９，２１０，３１０，４０９：ヘッド位置制御部
１１０，２１１，３１２，４１１：上位装置
２０４，３０４：ＡＴＩＰ検出部
２０５，３０５，４０４：ＬＤドライバ
３１１：連続性判定部      ４０６：同期部
４０７：カウンタ          ４０８：アドレス生成部
４１０：ケタ上がり切り替え部
【図１】
0003957265.tif 000002
【図２】
0003957265.tif 000003
【図３】
0003957265.tif 000004
【図４】
0003957265.tif 000005
【図５】
0003957265.tif 000006
【図６】
0003957265.tif 000007
【図７】
0003957265.tif 000008
【図８】
0003957265.tif 000009
【図９】
0003957265.tif 000010